(57)【要約】【課題】大気中の、又は喫煙時においてタバコから発生する有害物質、例えばダイオキシン類やピレン等を、ＤＮＡを用いて効果的に除去し得る方法及び有害物質の除去フィルターを提供する。【解決手段】具体的には、少なくとも、二本鎖ＤＮＡと、該二本鎖ＤＮＡを保持するフィルター繊維体とからなり、前記二本鎖ＤＮＡは、前記フィルター繊維体のうち少なくとも有害物質を含有する気体が透過する領域において、ゲル状態又はゲルから水分を除去して得られた多孔質体の形態にてフィルター繊維体に固定化されて保持されて、インターカレーションにより前記有害物質を捕捉し得るものとなっていることを特徴とする有害物質除去フィルターである。【選択図】図１
2008030039.tif 000002
【特許請求の範囲】
【請求項１】
有害物質を含有する気体より該有害物質を捕捉して除去する有害物質除去フィルターであって、
少なくとも、二本鎖ＤＮＡと、該二本鎖ＤＮＡを保持するフィルター繊維体とからなり、
前記二本鎖ＤＮＡは、前記フィルター繊維体のうち少なくとも有害物質を含有する気体が透過する領域において、ゲル状態又はゲルから水分を除去して得られた多孔質体の形態にてフィルター繊維体に固定化されて保持されて、インターカレーションにより前記有害物質を捕捉し得るものとなっていることを特徴とする有害物質除去フィルター。
【請求項２】
有害物質が、二本鎖ＤＮＡへインターカレーションできる平面的な立体構造を有する芳香族化合物類である、請求項１に記載の有害物質除去フィルター。
【請求項３】
ゲルがアクリルアミドゲルであることを特徴とする請求項２に記載の有害物質除去フィルター。
【請求項４】
二本鎖ＤＮＡへインターカレーションできる平面的な立体構造を有する芳香族化合物類が、ナフタレン、アセナフチレン、アセナフテン、９Ｈ−フルオレン、フェナントレン、アントラセン、フルオランテン、ピレン、ベンゾ［ａ］アントラセン、クリセン、ベンゾ［ｂ］フルオランテン、ベンゾ［ｋ］フルオランテン、ベンゾ［ａ］ピレン、インデノ［１，２，３−ｃ・ｄ］ピレン、ベンゾ［ｇ，ｈ，ｉ］ペリレン、ジベンゾ［ａ，ｈ］アントラセン、トリフェニレン、ベンゾ［ｉ］フルオランテン、及びジベンゾ［ａ，ｃ］アントラセンから選ばれた１種以上である、請求項２又は３に記載の有害物質除去フィルター。
【請求項５】
二本鎖ＤＮＡへインターカレーションできる平面的な立体構造を有する芳香族化合物類が、ジベンゾ−ｐ−ジオキシン（ＤＤ）、ジベンゾフラン（ＤＦ）、ビフェニル（ＢＰ）、ポリ塩化ジベンゾ−ｐ−ダイオキシン（ＰＣＤＤS）、ポリ塩化ジベンゾフラン（ＰＣＤ
ＦS）及びコプラナーＰＣＢから選ばれた１種以上である、請求項２又は３に記載の有害
物質除去フィルター。
【請求項６】
二本鎖ＤＮＡへインターカレーションできる平面的な立体構造を有する芳香族化合物類が、ポリ塩化ジベンゾ−ｐ−ダイオキシン（ＰＣＤＤS）、ポリ塩化ジベンゾフラン（ＰＣ
ＤＦS）及びコプラナーＰＣＢから選ばれた１種以上である、請求項２又は３に記載の有
害物質除去フィルター。
【請求項７】
二本鎖ＤＮＡを、水及びゲル形成物質と共にゾル状態でフィルター繊維体内に浸透させ、次いで乾燥、場合により凍結乾燥により水分を除去することにより、二本鎖ＤＮＡをゲル状態又はゲルから水分を除去して得られた多孔質体の形態にて該フィルター繊維体に保持させることを特徴とする、請求項１ないし６のうちいずれか１項に記載の有害物質除去フィルターの製造方法。
【請求項８】
吸口側の端部にフィルター部が設けられた紙巻タバコであって、
該フィルター部の内部には、少なくとも、請求項１ないし６のうちいずれか１項に記載の有害物質除去フィルターが活性炭と共に充填されていることを特徴とする紙巻タバコ。
【請求項９】
吸口側の端部にフィルター部が設けられた紙巻タバコであって、
該フィルター部の内部には、少なくとも、請求項１ないし６のうちいずれか１項に記載の有害物質除去フィルターが充填されていることを特徴とする紙巻タバコ。
【請求項１０】
一方側より紙巻タバコを挿入し得るタバコホルダーの内側には、少なくとも、請求項１ないし６のうちいずれか１項に記載の有害物質除去フィルターが充填されていることを特徴とするタバコホルダー。
【発明の詳細な説明】
【技術分野】
【０００１】
技術分野
本発明は、大気中のダイオキシン類又は喫煙時においてタバコから発生する有害物質を除去し得るフィルター、詳細には、二本鎖ＤＮＡ及び該二本鎖ＤＮＡが保持されたフィルター繊維体からなり、有害物質を、二本鎖ＤＮＡの塩基対と塩基対の間にインターカレーションさせることによってより効果的に除去し得るフィルターに関する。
【背景技術】
【０００２】
背景技術
従来、環境汚染の一因となっている空気中の有害物質、有害微生物等を除去する手段として、ハニカム、多孔性セラミックス、ガラス繊維若しくは金属繊維又は炭素繊維に担持した再生セルロース、木材パルプ、おがくず、椰子がら、石炭、フェノール、合成繊維等の原料から作製した粒状、粉末又は繊維状活性炭素材やゼオライトを主体としたフィルターが使用され、これらの材料はある程度有効であることが知られている。有害物質等を除去するその他の手段として、特許文献１は、光触媒作用を有する機能性粉末（酸化チタン、酸化亜鉛、酸化鉄等）が活性炭素繊維に担持されていることを特徴とする光触媒を利用した空気清浄フィルターを開示し、また一方で、喫煙によりタバコから発生する有害物質の除去手段として、特許文献２は、少なくともＣａＯ、Ｂ2Ｏ3、ＳｉＯ2、及びＡｌ2Ｏ3
で構成された多孔質ガラスを含むたばこ煙用フィルターを開示している。
【特許文献１】特開２００２−３５５２９９号公報
【特許文献２】特開２００１−９５５５２号公報
【発明の開示】
【発明が解決しようとする課題】
【０００３】
ところで近年において、ダイオキシン類による大気汚染や、喫煙による健康障害がさらに注目されるようになっており、大気中に存在するダイオキシン類や、喫煙時にタバコから発生する有害物質がこれまで以上に効果的に除去される方法を望む声が多くなりつつある。
ところが、上述の空気中の有害物質、有害微生物等を除去し得るフィルターをエアコン、ファンヒーター、空気清浄機、電気掃除機、ドライヤー等種々の電気・電子機器に使用する場合においては、室内の埃や塵を除去する効果は有するものの、ダイオキシン類を効果的に除去することは残念ながら困難であった。
かかる事情に鑑み、本発明は、空気中に存在するダイオキシン類や喫煙時にタバコから発生するピレン、その他の人体に有害な化学物質をより効果的に除去し得る方法、及び該有害物質除去フィルター並びに該フィルターが備えられた紙巻タバコ、タバコホルダー等の喫煙具、マスク類、電気・電子機器類を提供することを目的とする。
【課題を解決するための手段】
【０００４】
発明の開示
すなわち、
本願に係る第１の発明は、有害物質を含有する気体より該有害物質を捕捉して除去する有害物質除去フィルターであって、少なくとも、二本鎖ＤＮＡと、該二本鎖ＤＮＡを保持するフィルター繊維体とからなり、前記二本鎖ＤＮＡは、前記フィルター繊維体のうち少なくとも有害物質を含有する気体が透過する領域において、遊離の状態でフィルター繊維間に保持されて、インターカレーションにより有害物質を捕捉し得るものとなっていることを特徴とする有害物質除去フィルターに関する。
上記有害物質除去フィルターにおいて、好ましくは、前記二本鎖ＤＮＡは、繊維状又は
フィルムの形態にある。
第２の発明は、有害物質を含有する気体より該有害物質を捕捉して除去する有害物質除去フィルターであって、少なくとも、二本鎖ＤＮＡと、他の高分子化合物と、該二本鎖ＤＮＡ及び該他の高分子化合物を保持するフィルター繊維体とからなり、前記二本鎖ＤＮＡは、前記フィルター繊維体のうち少なくとも有害物質を含有する気体が透過する領域において、該二本鎖ＤＮＡ及び該他の高分子化合物の混合物の形態にて前記フィルター繊維体に保持されて、インターカレーションにより有害物質を捕捉し得るものとなっていることを特徴とする有害物質除去フィルターに関する。
第３の発明は、有害物質を含有する気体より該有害物質を捕捉して除去する有害物質除去フィルターであって、少なくとも、二本鎖ＤＮＡと、該二本鎖ＤＮＡを保持するフィルター繊維体とからなり、前記二本鎖ＤＮＡは、前記フィルター繊維体のうち少なくとも有害物質を含有する気体が透過する領域において、固定化により該フィルター繊維体に保持されて、インターカレーションにより有害物質を捕捉し得るものとなっていることを特徴とする有害物質除去フィルターに関する。
さらに好ましい態様として、第４の発明は、前記二本鎖ＤＮＡは、紫外線照射によって前記フィルター繊維体に固定化されて保持されていることを特徴とする第３の発明記載の有害物質除去フィルターに関する。
第５の発明は、前記二本鎖ＤＮＡは、シッフ塩基の生成による化学結合によって、前記フィルター繊維体に、又は前記フィルター繊維体の内部に含まれるガラスビーズに固定化されて保持されていることを特徴とする第３の発明記載の有害物質除去フィルターに関する。
第６の発明は、前記二本鎖ＤＮＡは、ゲル状態又はゲル、好ましくはアクリルアミドゲルから水分を除去して得られた多孔質体の形態にてフィルター繊維体に固定化されて保持されていることを特徴とする第３の発明記載の有害物質除去フィルターに関する。
第７の発明は、前記二本鎖ＤＮＡは、スペーサーを介してフィルター繊維体に結合されたソラーレンを二本鎖ＤＮＡ間にインターカレーションすることにより前記フィルター繊維体に固定化されて保持されていることを特徴とする第３の発明記載の有害物質除去フィルターに関する。
第８の発明は、前記二本鎖ＤＮＡは、カップリング剤によって前記フィルター繊維体に固定化されて保持されていることを特徴とする第３の発明記載の有害物質除去フィルターに関する。
また、本発明は、有害物質除去フィルターの製造方法にも関する。
その一つの発明は、二本鎖ＤＮＡ水溶液をフィルター繊維体内に浸透させ、続いて水分を除去することにより、二本鎖ＤＮＡを遊離の状態で該フィルター繊維間に保持させることを特徴とする有害物質除去フィルターの製造方法に関する。
二つ目の発明は、二本鎖ＤＮＡと他の高分子化合物の混合物の水溶液をフィルター繊維体内に浸透させ、続いて水分を除去することにより、二本鎖ＤＮＡを該フィルター繊維体に保持させることを特徴とする有害物質除去フィルターの製造方法に関する。
三つ目の発明は、二本鎖ＤＮＡ水溶液をフィルター繊維体内に浸透させ、続いて紫外線照射することにより、二本鎖ＤＮＡを前記フィルター繊維体に固定化させて保持させることを特徴とする有害物質除去フィルターの製造方法に関する。
四つ目の発明は、二本鎖ＤＮＡと他の高分子化合物の混合物の水溶液をフィルター繊維体内に浸透させ、続いて紫外線照射することにより、二本鎖ＤＮＡを前記フィルター繊維体に固定化させて保持させることを特徴とする有害物質除去フィルターの製造方法に関する。
五つ目の発明は、二本鎖ＤＮＡを、シッフ塩基の生成による化学結合により、フィルター繊維体に、又はフィルター繊維体の内部に含まれるガラスビーズに固定化させて保持させることを特徴とする有害物質除去フィルターの製造方法に関する。
六つ目の発明は、スペーサーを介してフィルター繊維体に結合されたソラーレンを二本鎖ＤＮＡ間にインターカレーションすることにより、該二本鎖ＤＮＡを前記フィルター繊
維体に固定化させて保持させることを特徴とする有害物質除去フィルターの製造方法に関する。
七つ目の発明は、二本鎖ＤＮＡを、水及びゲル形成物質と共にゾル状態でフィルター繊維体内に浸透させ、次いで乾燥、場合により凍結乾燥により水分を除去することにより、二本鎖ＤＮＡをゲル状態又はゲルから水分を除去して得られた多孔質体の形態にて該フィルター繊維体に保持させることを特徴とする有害物質除去フィルターの製造方法に関する。
上記の各発明において、前記有害物質は、代表的にはダイオキシン類である。
また、本発明は、有害物質除去フィルターを用いた装置、器具、用品等に関する。具体的には、
一つ目の発明は、第１ないし第８の発明のうちいずれか１つの発明記載の有害物質除去フィルターが備えられたマスク類に関する。
二つ目の発明は、第１ないし第８の発明のうちいずれか１つの発明記載の有害物質除去フィルターが備えられた防毒マスクに関する。
三つ目の発明は、調温又は調温調湿された気体を使用する電気・電子機器において、該気体の流通路に装備される気体濾過装置であって、第１ないし第８の発明のうちいずれか１つの発明記載の有害物質除去フィルターを備えてなることを特徴とする気体濾過装置に関する。
四つ目の発明は、空気又は加熱された空気が機器外に流出し又は機器内に流入するか若しくは機器内部を流通する電気・電子機器において、該空気の流出口、流入口又は流通路に装備される空気濾過装置であって、第１ないし第８の発明のうちいずれか１つの発明記載の有害物質除去フィルターを備えてなることを特徴とする空気濾過装置に関する。
五つ目の発明は、第１ないし第８の発明のうちいずれか１つの発明記載の有害物質除去フィルターが備えられた焼却炉の集塵又は除塵用フィルター装置に関する。
とりわけ、本発明は、有害物質除去フィルター装備の紙巻タバコ、タバコホルダーに関する。すなわち、
そのうちの一つの発明は、吸口側の端部にフィルター部が設けられた紙巻タバコであって、
該フィルター部の内部には、少なくとも、二本鎖ＤＮＡと、該二本鎖ＤＮＡを保持するフィルター繊維体とからなる有害物質除去フィルターが充填されており、前記二本鎖ＤＮＡは、前記フィルター繊維体のフィルター繊維間に遊離の状態で保持されて、インターカレーションによりダイオキシン類を捕捉し得るものとなっていることを特徴とする紙巻タバコに関する。
二つ目の発明は、吸口側の端部にフィルター部が設けられた紙巻タバコであって、
該フィルター部の内部には、少なくとも、二本鎖ＤＮＡと、ポリアクリル酸ナトリウムと、該二本鎖ＤＮＡ及び該ポリアクリル酸ナトリウムを保持するフィルター繊維体とからなる有害物質除去フィルターが充填されており、前記二本鎖ＤＮＡは、該二本鎖ＤＮＡ及び該他の高分子化合物の混合物の形態にて前記フィルター繊維体に保持されて、インターカレーションによりダイオキシン類を捕捉し得るものとなっていることを特徴とする紙巻タバコに関する。
三つ目の発明は、一方側より紙巻タバコを挿入し得るタバコホルダーの内側には、少なくとも、二本鎖ＤＮＡと、該二本鎖ＤＮＡを保持するフィルター繊維体からなる有害物質除去フィルターが充填されており、前記二本鎖ＤＮＡは、前記フィルター繊維体のフィルター繊維間に遊離の状態で保持されて、インターカレーションによりダイオキシン類を捕捉し得るものとなっていることを特徴とするタバコホルダーに関する。
【発明の効果】
【０００５】
大気中の、又は喫煙時においてタバコから発生する有害物質、例えばダイオキシン類を、二本鎖ＤＮＡを用いて効果的に除去し得る方法及び有害物質を除去し得るフィルターが提供され、該フィルターは、例えばタバコ、タバコホルダー等の喫煙具、マスク類、防毒
マスク、調温又は調温調湿された気体を使用する電気・電子機器、例えばエアコン、ファンヒーター、加湿器等に装備される気体濾過装置、空気又は加熱された空気が機器外に流出し又は機器内に流入するか若しくは機器内部を流通する電気・電子機器、例えば電気掃除機、ドライヤー、空気清浄機等に装備される空気濾過装置、マイナスイオン発生機、焼却炉の集塵・除塵用フィルター装置、煙突、自動車のマフラー等において好適に実用され得る。
【発明を実施するための最良の形態】
【０００６】
図面の簡単な説明
図１は、二本鎖ＤＮＡ粉末が散布されるフィルター繊維体を示した図であり、図２は、図１の部分拡大図であり、図３は、シッフ塩基の生成による化学結合によりセルロース繊維に二本鎖ＤＮＡを固定化し、本発明の有害物質除去フィルターを得る工程を示した図であり、図４は、シッフ塩基の生成による化学結合によりガラスビーズに二本鎖ＤＮＡを固定化する工程を示した図であり、図５は、図４に示す工程により得られた、二本鎖ＤＮＡが固定化されたガラスビーズを、フィルター繊維体に保持させてなる本発明の有害物質除去フィルターを示した図であり、図６は、スペーサーを介してフィルター繊維体に結合されたソラーレンを示した図であり、図７は、ソラーレンが用いられた本発明の有害物質除去フィルターの模式図であり、図８は、二本鎖ＤＮＡ水溶液に浸漬されたフィルター繊維体を示した図であり、図９（ａ）は、本発明の有害物質除去フィルターが備えられたタバコの斜視図であり、（ｂ）は（ａ）のＡ−Ａ線における断面図であり、図１０（ａ）は、本発明の有害物質除去フィルターが備えられたタバコホルダーの斜視図であり、（ｂ）は（ａ）のＢ−Ｂ線における断面図であり、図１１（ａ）は、本発明の有害物質除去フィルターが備えられたマスクの分解斜視図であり、（ｂ）は該マスクの側面図であり、図１２（ａ）は、本発明の有害物質除去フィルターが備えられたエアコンの斜視図であり、（ｂ）はエアコンに備えられた本発明のフィルターの斜視図であり、図１３は、本発明の有害物質除去フィルターが備えられた防毒マスクの斜視図である。
【０００７】
発明を実施するための最良の形態
本発明で用いるＤＮＡは、螺旋型を有する二本のポリヌクレオチド鎖（二重螺旋）からなり、例えばサケ、ニシン、タラ等の魚類の白子（精巣）から得られるＤＮＡ、もしくはウシ、ブタ、ニワトリ等の哺乳動物もしくは鳥類の胸腺から得られるＤＮＡが好ましい。二本鎖ＤＮＡは、二本のポリヌクレオチド鎖の糖−リン酸骨格から、構造的相補性を有する平面的な塩基同士が螺旋の軸に対して垂直に、らせんの中央部に向かって突出し合い、水素結合で結合している。ＤＮＡの二本鎖の塩基対と塩基対の間には、Ｂ型構造の場合、幅約１．１ｎｍ、高さ０．３４ｎｍの隙間があり、平面構造を有する小分子はこの隙間に入り込むことが可能であり、これをインターカレーションと呼ぶ。この現象は小分子の電荷や疎水性により促進される場合がある。本発明者らは、ダイオキシン類などの人間にとっての有害な物質は複数のベンゼン環からなるものが多く、平面構造を有することから、二本鎖ＤＮＡを利用して、大気中からダイオキシンや、または喫煙時にタバコから発生する有害物質をもより効果的に除去することが可能であることを見出した。
本発明における有害物質除去フィルターは、かかる二本鎖ＤＮＡの有する特性が利用されたものであり、少なくとも、二本鎖ＤＮＡ及び該二本鎖ＤＮＡを保持し得るフィルター繊維体からなる。したがって、ダイオキシン類等有害物質を含有する気体が本発明の有害物質除去フィルターの二本鎖ＤＮＡと接触すると、有害物質は該二本鎖ＤＮＡにインターカレーションすることによって捕捉され除去され得る。
なお、本発明において使用されるフィルター繊維体とは繊維の集合体を意味するが、必ずしも繊維に限定されず、形状が繊維に類似し、二本鎖ＤＮＡを保持し得る能力があり、かつ有害物質を含有する気体が透過出来るものであれば何であってもよい。好ましくは、例えば紙等のセルロース繊維、ガラス繊維、天然繊維、合成繊維、例えばポリエチレン、ポリプロピレン又はナイロン樹脂、ハニカム等が挙げられる。
【０００８】
本発明の有害物質除去フィルターは、二本鎖ＤＮＡがフィルター繊維体のうち、少なくとも有害物質を含有する気体が透過する領域において、遊離の状態、すなわち二本鎖ＤＮＡが複数のフィルター繊維間を移動し得る自由の状態でフィルター繊維間に保持されてなる態様をとれば十分な有害物質除去効果を奏するが、フィルター繊維体の全体にわたって二本鎖ＤＮＡが保持されていてももちろん構わない。本発明においては、二本鎖ＤＮＡがフィルター繊維体から脱落しない状態で存在していれば、該二本鎖ＤＮＡはフィルター繊維体に保持されていると言うものとする。また、使用される二本鎖ＤＮＡの形態としては特に制限されず、粉末、繊維状又はフィルムの形態が挙げられる。
【０００９】
二本鎖ＤＮＡを遊離の状態でフィルター繊維間に保持させる方法は特に制限されず、種々の態様が挙げられる。例えば図１に示すように、動物組織から抽出・精製した後、凍結乾燥等により粉末、繊維状又はフィルムの形態とした二本鎖ＤＮＡ１の所定量を、使用するフィルター繊維体２の全体にわたってほぼ均等となるように直接に散布するか、或いはまぶす等により接触させ、フィルター繊維体２の繊維間に保持させる方法が挙げられる。かようにフィルター繊維体２に保持された二本鎖ＤＮＡ１は、図１の部分拡大図である図２に示すように、フィルター繊維体２を構成する複数の繊維２’の間において、該繊維間から脱落してしまうことなく保持されている。
【００１０】
また本発明の有害物質除去フィルターは好ましくは、二本鎖ＤＮＡが、フィルター繊維体のうち、少なくとも有害物質を含有する気体が透過する領域において、該二本鎖ＤＮＡと他の高分子化合物の混合物の形態にて該フィルター繊維体に保持されてなる態様である。他の高分子化合物を併用することによって、水分の除去後には、二本鎖ＤＮＡはフィルター繊維体に、二本鎖ＤＮＡが単独でフィルター繊維体に保持されるよりもより強く保持される。したがって、本発明の有害物質除去フィルターの使用中において、二本鎖ＤＮＡがフィルター繊維体から剥離してしまうおそれがより低く、長期間の使用においても安定した有害物質の除去効果を発揮し得る。使用される高分子化合物は二本鎖ＤＮＡの有する有害物質除去効果に悪影響を与えず、かつ二本鎖ＤＮＡと混合され得、フィルター繊維体に対して物理的な力により、例えば分子間力、静電気力により、又は化学的結合により、例えば共有結合、イオン結合、配位結合により、もしくはそれら両方の結合によって付着し得るものであれば何であっても良く、アクリル酸塩、例えばポリアクリル酸ナトリウム、ポリメタクリル酸ナトリウム等や、セルロース類、例えばメチルセルロース、カルボキシメチルセルロース及びその塩類等が挙げられる。
【００１１】
また本発明の有害物質除去フィルターは、二本鎖ＤＮＡが、フィルター繊維体のうち、少なくとも有害物質を含有する気体が透過する領域において、該フィルター繊維体に固定化されて保持されてなる態様も好ましく、かかる態様においては、二本鎖ＤＮＡがフィルター繊維に固定化されることによってより良く保持される為、二本鎖ＤＮＡがフィルター繊維体からより脱落しにくくなる。したがって、かような本発明の有害物質除去フィルターは、長時間の使用によっても、二本鎖ＤＮＡがフィルター繊維体から脱落して有害物質を除去する効果が低下してしまうおそれが極めて低いという効果を奏する。
【００１２】
前述の、二本鎖ＤＮＡがフィルター繊維体に固定化されて保持されてなる態様の一つとして、二本鎖ＤＮＡが紫外線照射によってフィルター繊維体に固定化されて保持されている有害物質除去フィルターが挙げられ、かかる態様において、紫外線は好適には２５０ｎｍないし２７０ｎｍの範囲内の波長にて二本鎖ＤＮＡに照射される。
【００１３】
別の態様として二本鎖ＤＮＡは、シッフ塩基の生成による化学結合によって前記フィルター繊維体に固定化されて保持されている有害物質除去フィルターも挙げることが出来る。例えば、フィルター繊維体としてセルロース繊維に二本鎖ＤＮＡを固定化し、本発明の
有害物質除去フィルターを得る工程を示すところの図３に示すように、セルロース繊維（Ｉ）にＮａＩＯ4を、２５℃にて１時間作用させ（ａ）、セルロース分子中の一部がアル
デヒド化されたセルロース繊維（ＩＩ）を得た後、５ｍｇ／ｍＬの二本鎖ＤＮＡを添加して８０℃にて８時間さらに作用させ（ｂ）、二本鎖ＤＮＡがセルロース繊維に固定化されて保持されてなる有害物質除去フィルター（ＩＩＩ）を得ることが出来る。また、シッフ塩基の生成による化学結合によって二本鎖ＤＮＡが固定化された有害物質除去フィルターの別の例として、二本鎖ＤＮＡがあらかじめシッフ塩基の生成による化学結合によってガラス表面に固定化されたガラスビーズが、フィルター繊維体に保持されてなる態様を挙げることも出来る。二本鎖ＤＮＡをガラスビーズに固定化する工程は、図４に示すように、二本鎖ＤＮＡに、ＮａＩＯ4を２５℃にて３時間作用させ（ａ）、アルデヒド化された二
本鎖ＤＮＡを得、次に該アルデヒド化された二本鎖ＤＮＡに、アミノ化されたガラスビーズを２５℃にて３時間作用させて（ｂ）得られた中間体に対して、ＮａＢＨ3ＣＮを添加
し６時間反応させることによって（ｃ）行われる。結果として得られた、二本鎖ＤＮＡが固定化されたガラスビーズは、図５に示すように、フィルター繊維体のフィルター繊維間に、例えば遊離の状態で保持されることによって、本発明の有害物質除去フィルターを構成する。
【００１４】
二本鎖ＤＮＡがフィルター繊維体に固定されて保持されてなる他の態様として挙げられるのは、二本鎖ＤＮＡが、ゲル状態又はゲルから水分を除去して得られた多孔質体の形態にてフィルター繊維体に固定化されて保持されてなる有害物質除去フィルターである。該フィルターは、例えば二本鎖ＤＮＡ水溶液にフィルター繊維体を浸漬し、該水溶液にポリアクリル酸ナトリウム等の分散剤を添加してゲル状態と為した後に、該フィルター繊維体をゲルから引き上げるか、又は引き上げた後に該フィルター繊維体に付着したゲルから水分を除去して、多孔質体の形態と為すことによっても得ることも出来るし、また、二本鎖ＤＮＡを水及びゲル形成物質、例えばアクリルアミド又はシリカゲル等と共にゾル状態と為し、フィルター繊維体を該ゾル中に浸漬するか或いはフィルター繊維体に塗布、噴霧等して付着させた後、乾燥又は凍結乾燥によりゲル状態と為すか、又はさらに水分を除去して多孔質体の形態と為すことにより得ることも出来る。ゲル形成物質としては、他にゼラチン、寒天等が挙げられる。
【００１５】
二本鎖ＤＮＡをフィルター繊維体に固定化して保持させてなるより好ましい態様の一つは、二本鎖ＤＮＡが、スペーサーを介してフィルター繊維体に結合されたソラーレンを二本鎖ＤＮＡ間にインターカレーションすることにより該フィルター繊維体に固定化されて保持されてなる有害物質除去フィルターである。例えば、図６に示すように、ソラーレン（Ｘ部分）がスペーサーとしてのポリアルキレン基（Ｙ部分、ｎは１以上の整数である）に結合し、さらに該ポリアルキレン基が、少なくとも一部がリン酸化処理されたフィルター繊維体に結合された構造において、二本鎖ＤＮＡに前記ソラーレンをインターカレーションして捕捉することにより構成される態様が挙げられる。かかる態様において、ソラーレンは平面構造を有している為に、図７に示すように、二本鎖ＤＮＡの塩基対ａと塩基対ｂの間の隙間にインターカレーションすることによって該二本鎖ＤＮＡに捕捉され、結果として、スペーサーであるポリアルキレン基を介して、フィルター繊維体に固定されて保持される。また、この時に、紫外線を照射することによって二本鎖ＤＮＡはソラーレンに強固に固定され得るが、紫外線に替えて可視光を照射することによっても、二本鎖ＤＮＡはソラーレンに強固に固定され得る。また、可視光を用いて固定を行えば、紫外線を用いて固定する場合とは異なり、二本鎖ＤＮＡが乾燥していなくとも、例えば水中においても二本鎖ＤＮＡをソラーレンに十分強く固定することが出来る為、紫外線を用いた場合と比較して固定化の条件が比較的制約を受けない。ソラーレンが用いられた本発明のフィルターにおいて、ダイオキシン類等の有害物質は、図７に示すように、二本鎖ＤＮＡの塩基対と塩基対の間の複数の隙間のうち、ソラーレンがインターカレーションしている隙間以外の隙間にインターカレーションすることによって、捕捉、除去される。かかる態様におい
て使用されるスペーサーは、ポリアルキレン基の他、ポリエチレングリコール基であっても構わない。
【００１６】
本発明の有害物質除去フィルターは、二本鎖ＤＮＡがカップリング剤によりフィルター繊維体に固定化されて保持されてなる態様であっても良い。本有害物質除去フィルターは、二本鎖ＤＮＡをシリカゲル、シランカップリング剤、及び必要に応じて添加剤と共に混合して水溶液又は分散液の形態とし、該水溶液又は分散液に支持体を浸漬するか或いはフィルター繊維体に塗布、噴霧等して該繊維体内に浸透させた後、水分を除去することにより得ることが出来る。かかる態様は、主として無機材料からなるフィルター繊維体と有機材料である二本鎖ＤＮＡをより強固に保持させる場合において特に効果的である。好ましいカップリング剤としては、例えばシランカップリング剤が挙げられる。
【００１７】
本発明の有害物質除去フィルターは、二本鎖ＤＮＡ水溶液をフィルター繊維体内に浸透させ、続いて水分を除去することにより、二本鎖ＤＮＡを遊離の状態で該フィルター繊維間に保持させることによっても得ることが出来る。例えば、二本鎖ＤＮＡ水溶液を刷毛等でフィルター繊維体に塗布した後に室温において又は温風若しくは加熱器を用いて好ましくは６０℃以下で乾燥しても本発明の有害物質除去フィルターが得られるし、又は図８に示すように、適当な濃度の二本鎖ＤＮＡ水溶液３にフィルター繊維体４を適当な時間の間浸漬し、二本鎖ＤＮＡ水溶液３から引き上げた後に好ましくは二本鎖ＤＮＡが熱変性を起こさない６０℃以下の条件にて乾燥することによっても得られる。
【００１８】
また、本発明の有害物質除去フィルターは、二本鎖ＤＮＡ水溶液をフィルター繊維体内に浸透させた後において、又は二本鎖ＤＮＡと他の高分子化合物の混合物の水溶液をフィルター繊維体内に浸透させた後において、さらに紫外線照射によって二本鎖ＤＮＡをフィルター繊維体に固定させて保持させる方法をとっても得られる。
【００１９】
本発明で処理可能な有害物質は多岐にわたるが、二本鎖ＤＮＡへのインターカレーションを利用することから、特に平面的な立体構造を有する有機化合物、例えば芳香族環を有する化合物を好ましく処理することができる。特にジベンゾ−ｐ−ジオキシン（ＤＤ）、ジベンゾフラン（ＤＦ）、ビフェニル（ＢＰ）、ポリ塩化ジベンゾ−ｐ−ダイオキシン（ＰＣＤＤS）、ポリ塩化ジベンゾフラン（ＰＣＤＦS）、コプラナーＰＣＢ等のダイオキシン類の処理に本発明は非常に有効である。
【００２０】
本発明の有害物質除去フィルターは、種々の製品、例えばタバコ、タバコホルダー等の喫煙具、マスク類、防毒マスク、焼却炉の集塵・除塵用フィルター装置、煙突、自動車のマフラー、マイナスイオン発生機等において好適に備えることが可能である。また、調温又は調温調湿された気体を使用する電気・電子機器において、該気体の流通路に装備される気体濾過装置においても好適に使用され得る。調温又は調温調湿された気体を使用する電気・電子機器は、例えばエアコン、ファンヒーター、加湿器等が挙げられる。かかる電気・電子機器に装備される気体濾過装置は、該機器に取り込まれた気体が温度調節又は温度調節及び湿度調節される箇所から該機器より流出されるまでの間のいずれかの箇所において、例えばエアコンの場合、該エアコン内部にて所定の温度に調節された気体が、エアコン内部から流出される箇所において設置される。さらに、気体濾過装置はフィルターを含んだ構成をなし、これによって該装置を通過する気体に含まれる埃、塵は除去され、清浄な気体となって機器外へと流出される。本発明の有害物質除去フィルターはまた、空気又は加熱された空気が機器外に流出し又は機器内に流入するか若しくは機器内部を流通する電気・電子機器において、該空気の流出口、流入口又は流通路に装備される空気濾過装置においても使用され得る。冷却器、空冷、かかる電気・電子機器は、空気清浄機、電気掃除機、ドライヤー、自動車のエンジンの冷却装置等が挙げられる。かかる機器に装備される空気濾過装置はフィルターを備えてなる構成を為し、機器内に取り込まれた空気又は
加熱された空気は該装置を通過する時に濾過され、埃、ゴミ類が除去された状態となる。空気濾過装置は、例えば電気掃除機においては、埃、ゴミ類と共に吸引された空気が、機外へと流出されるまでの間のいずれかの箇所において設置され、該空気に含まれる埃、ゴミ類は、空気濾過装置を通過する時にフィルターにより除去される。
【００２１】
上述したように、本発明の有害物質除去フィルターは二本鎖ＤＮＡをフィルター繊維体に保持させてなるが、保持されるべき二本鎖ＤＮＡ量は、存在する有害物質の濃度に応じて適宜決定されてよい。例えばダイオキシン類は大気中に１０-12ｇ／ｍ3のオーダーで存在している為に、フィルター繊維体に保持された二本鎖ＤＮＡは、該フィルター繊維体のうち、有害物質を含有する気体が透過する領域の容積（ｍ3）あたり、少なくとも１０-9
ｇのオーダー以上であれば、十分にダイオキシン類を除去し得る。
本発明の有害物質除去フィルターはまた、二本鎖ＤＮＡ及びフィルター繊維体の他に、用途に応じて種々の添加剤、例えば着色剤、消臭剤等をも共に用いられていても構わない。
以下、本発明を実施例により更に具体的に説明するが、これによって本発明が限定されるものではない。
【実施例】
【００２２】
実施例１
本発明の有害物質除去フィルターを用いたタバコの一態様を図９（ａ）及び（ｂ）に示す。図９（ａ）はタバコ５の斜視図を示し、図９（ｂ）は、（ａ）のＡ−Ａ線における断面図である。タバコ５は、その吸口部６内に化学又は天然繊維層７及び隣接して、化学又は天然繊維層７に二本鎖ＤＮＡ８が遊離状態で保持された有害物質除去フィルター９が設けられている。有害物質除去フィルター９の存在により、喫煙によって生じるナフタレン等の有害物質は二本鎖ＤＮＡ８により効果的に捕捉され、減少された上で人体に吸収される為に健康保持の面において非常に好ましい。のみならず、タバコ独特の風味は有害物質除去フィルター９の影響により低下することは少なく、嗜好品としての品質は損なわれない。
【００２３】
実施例２
本発明の有害物質除去フィルターを用いたタバコホルダーの一態様を図１０（ａ）及び（ｂ）に示す。図１０（ａ）はタバコホルダー１０の斜視図を示し、図１０（ｂ）は、（ａ）のＢ−Ｂ線における断面図である。タバコホルダー１０は、タバコ挿入口１１、吸口１２とを有する。そしてタバコホルダー１０は、その内部において、二の化学又は天然繊維層１３が配置され、その間には、化学又は天然繊維層１４と該繊維層１４に遊離状態で保持された粉末状態の二本鎖ＤＮＡ１５とが有害物質除去フィルター１６を形成して充填された構造をなしている。タバコをタバコ挿入口１１に挿入し、そして喫煙した場合、生じるナフタレン等の有害物質は、有害物質除去フィルター１６に保持された二本鎖ＤＮＡ１５により効果的に捕捉され、減少された上で人体に吸収される為に健康上においてより好ましい。
【００２４】
実施例３
本発明の有害物質除去フィルターをガーゼとして用いたマスクの一態様を図１１（ａ）及び（ｂ）に示す。図１１（ａ）はマスク１７の分解斜視図を示し、図１１（ｂ）はマスク１７の側面図である。マスク１７は、耳紐１８、二のガーゼ１９及び該二のガーゼ１９の間に配置された、本発明の有害物質除去フィルターとしての有害物質除去ガーゼ２０からなる構造を為し、有害物質除去ガーゼ２０は、ガーゼ１９と同様の材質のガーゼに二本鎖ＤＮＡを紫外線照射により固定せしめてなる。以上のごとく構成されたマスク１７を外出時に着用すれば、アレルギー症状を引き起こし易い花粉の人体への吸収が防止されるだけでなく、有害物質除去ガーゼ２０に保持された二本鎖ＤＮＡが、外気中に浮遊する有害
微生物、ダイオキシン類等の有害物質を非常に有効に捕捉し、もって人体への吸収をより良好に防止し得る。
【００２５】
実施例４
本発明の有害物質除去フィルターをエアフィルターとして用いたエアコンを図１２（ａ）に示す。図１２（ａ）はエアコン２１の斜視図を示し、図１２（ｂ）はエアコン２１に使用された有害物質除去フィルター２２の斜視図である。また有害物質除去フィルター２２は、エアコンに使用される従来のフィルターに二本鎖ＤＮＡ２３をシランカップリング剤を用いて保持せしめてなる構造を有している。エアコン２１を使用することによって、室内に浮遊している埃等が有害物質除去フィルター２２に捕捉、除去される他、室外から入り込む有害微生物、ダイオキシン類等の有害物質をも有害物質除去フィルター２２により有効に除去される為、室内の空気を清浄な状態に保つことができる。
【００２６】
実施例５
また、本発明の有害物質除去フィルターを用いた防毒マスクの一態様として、防毒マスク２４を斜視図として図１３に示す。防毒マスク２４は、マスク面体２５、ヘッドバンド２６、フィルター収納枠２７及び二本鎖ＤＮＡがＨＥＰＡ（Ｈｉｇｈ  Ｅｆｆｉｃｉｅｎｃｙ  Ｐａｒｔｉｃｕｌａｔｅ  Ａｉｒ）フィルターに紫外線照射によって保持されてなり、フィルター収納枠２７内に収納されている有害物質除去フィルター２８からなる。微粒子の捕捉能力が高いＨＥＰＡフィルターに二本鎖ＤＮＡをさらに保持させることによって有害物質の除去効果がさらに高まり、例えば有毒ガスが充満しやすい火災現場等においては、防毒マスク２４を着用することにより、人体への有毒ガスの吸収がより良好に防止され得る。
【００２７】
また、本発明の有害物質除去フィルターの有害物質除去効果を調べる為に、以下の試験を行った。
【００２８】
試験例１
本発明の有害物質除去フィルター及び従来のフィルターをそれぞれ用いたタバコを喫煙した場合において、発生する各種有害物質の除去効果に関する実験を行った。
ｉ）タバコの作製
試作例１：従来のタバコ用フィルター繊維層を二本鎖ＤＮＡ及びポリアクリル酸ナトリウムの１０重量％水溶液に１０秒間浸漬し、その後該水溶液から引き上げ、４０℃にて乾燥させた。かように作成された本発明の有害物質除去フィルターをタバコ用のフィルターとして用いて、本発明のＲｅｓｅａｒｃｈ  Ｃｉｇａｒｅｔｔｅ  ２Ｒ４Ｆ（商品名、米国、ケンタッキー大学）タバコＡを製造した。
試作例２：従来のタバコ用フィルター繊維層を二本鎖ＤＮＡ及びポリアクリル酸ナトリウムの１０重量％水溶液に１０秒間浸漬し、その後該水溶液から引き上げ、４０℃にて乾燥させた。かように作成された本発明の有害物質除去フィルターを活性炭と共にタバコ用のフィルターとして用いて、本発明のＲｅｓｅａｒｃｈ  Ｃｉｇａｒｅｔｔｅ  ２Ｒ４Ｆ（商品名、米国、ケンタッキー大学）タバコＢを製造した。
試作例３：従来のタバコ用フィルター繊維層のみをタバコのフィルターに用いて、Ｒｅｓｅａｒｃｈ  Ｃｉｇａｒｅｔｔｅ  ２Ｒ４Ｆ（商品名、米国、ケンタッキー大学）Ｃを製造した。
試作例４：従来のタバコ用フィルター繊維層及び活性炭をタバコのフィルターに用いて、Ｒｅｓｅａｒｃｈ  Ｃｉｇａｒｅｔｔｅ  ２Ｒ４Ｆ（商品名、米国、ケンタッキー大学）Ｄを製造した。
ｉｉ）喫煙方法
ＨａｍｂｕｒｇＩＩ自動喫煙装置に、上記で得られたタバコＡ、Ｂ、Ｃ及びＤのそれぞれの主流煙（空気：タバコ煙＝７：３）を１ｐｕｆｆ／３５ｍｌ／２秒で２０本／日、計
１０回喫煙させた。そして、排気された総気体に含まれる各種化学物質量を測定した。その結果を表１に示す。
【表１】
2008030039.tif 000003
表１の結果より、本発明の有害物質除去フィルターが用いられたタバコＡは、従来のタバコ用フィルター繊維層が用いられたタバコＣ及びＤと比較して、表１に示された全ての化学物質の捕捉、除去効果が上回ったことが分かる。また、本発明の有害物質除去フィルターを活性炭と共にフィルターとして用いたタバコＢは、タバコＡよりもさらに一層各種化学物質の除去効果が優れていることが分かった。
【００２９】
試験例２
本試験例においては、本発明の有害物質除去フィルターを用い、大気中のダイオキシン類、具体的にはポリ塩化ジベンゾ−パラ−ダイオキシン（ＰＣＤＤS）、ポリ塩化ジベン
ゾフラン（ＰＣＤＦS）及びコプラナーＰＣＢの除去効果に関する試験を行った。
ｉ）エアフィルターの作製
市販の空気清浄機のエアフィルター（縦２０ｃｍ×横３０ｃｍ）に粉末状のＤＮＡ１０００ｍｇを、該エアフィルターの全領域にわたって均一に散布し、その後２６０ｎｍの波長の紫外線を照射して二本鎖ＤＮＡを該エアフィルターに保持させ、本発明の有害物質除去フィルターを得た。
ｉｉ）測定方法
都市Ｔの屋外において、ｉ）で得られた有害物質除去フィルターを取り付けた空気清浄機を稼動して該清浄機から排出される気体を採取し、該気体についてダイオキシン類の濃度を測定した。なお、ダイオキシン類の濃度測定は、「ダイオキシン類に係る大気環境調
査マニュアル」（平成１２年６月  環境庁大気保全局大気規制課）にしたがって行った。空気清浄機すなわち取り付けられた本発明のフィルターを通過する前と通過した後の大気中のダイオキシン類の毒性等量を表２に示す。
【表２】
2008030039.tif 000004
表２の結果から、本発明の有害物質除去フィルターを通過した大気中のダイオキシン類の毒性等量は、フィルターを通過する前の大気中のダイオキシン類の毒性等量と比較して１／１０程度となっており、本発明の有害物質除去フィルターが非常に優れたダイオキシン類の捕捉、除去効果を有するものであることが分かる。
【図面の簡単な説明】
【００３０】
【図１】図１は、二本鎖ＤＮＡ粉末が散布されるフィルター繊維体を示した図である。
【図２】図２は、図１の部分拡大図である。
【図３】図３は、シッフ塩基の生成による化学結合によりセルロース繊維に二本鎖ＤＮＡを固定化し、本発明の有害物質除去フィルターを得る工程を示した図である。
【図４】図４は、シッフ塩基の生成による化学結合によりガラスビーズに二本鎖ＤＮＡを固定化する工程を示した図である。
【図５】図５は、図４に示す工程により得られた、二本鎖ＤＮＡが固定化されたガラスビーズを、フィルター繊維体に保持させてなる本発明の有害物質除去フィルターを示した図である。
【図６】図６は、スペーサーを介してフィルター繊維体に結合されたソラーレンを示した図である。
【図７】図７は、ソラーレンが用いられた本発明の有害物質除去フィルターの模式図である。
【図８】図８は、二本鎖ＤＮＡ水溶液に浸漬されたフィルター繊維体を示した図である。
【図９】図９（ａ）は、本発明の有害物質除去フィルターが備えられたタバコの斜視図であり、（ｂ）は（ａ）のＡ−Ａ線における断面図である。
【図１０】図１０（ａ）は、本発明の有害物質除去フィルターが備えられたタバコホルダーの斜視図であり、（ｂ）は（ａ）のＢ−Ｂ線における断面図である。
【図１１】図１１（ａ）は、本発明の有害物質除去フィルターが備えられたマスクの分解斜視図であり、（ｂ）は該マスクの側面図である。
【図１２】図１２（ａ）は、本発明の有害物質除去フィルターが備えられたエアコンの斜視図であり、（ｂ）はエアコンに備えられた本発明のフィルターの斜視図である。
【図１３】図１３は、本発明の有害物質除去フィルターが備えられた防毒マスクの斜視図である。
【符号の説明】
【００３１】
１，８，１５，２３  二本鎖ＤＮＡ    ２，４  フィルター繊維体    ２’  繊維    ３  二本鎖ＤＮＡ水溶液    ５  タバコ    ６  吸口部    ７，１３，１４  化学又は天
然繊維層    ９，１６，２２，２８  有害物質除去フィルター    １０  タバコホルダー
１１  タバコ挿入口    １２  吸口    １７  マスク    １８  耳紐    １９  ガーゼ    ２０  有害物質除去ガーゼ    ２１  エアコン    ２４  防毒マスク    ２５  マスク面体    ２６  ヘッドバンド    ２７  フィルター収納枠
【図１】
2008030039.tif 000005
【図２】
2008030039.tif 000006
【図３】
2008030039.tif 000007
【図４】
2008030039.tif 000008
【図５】
2008030039.tif 000009
【図６】
2008030039.tif 000010
【図７】
2008030039.tif 000011
【図８】
2008030039.tif 000012
【図９】
2008030039.tif 000013
【図１０】
2008030039.tif 000014
【図１１】
2008030039.tif 000015
【図１２】
2008030039.tif 000016
【図１３】
2008030039.tif 000017